(57)【要約】【課題】浴槽に隣接して洗い場が設けられる分割構造のユニットバスであって、浴室床に浴槽および洗い場を設置する際に極めて簡単に設置し得る施工性に優れたユニットバスを提供する。【解決手段】ユニットバスは、浴室床に設置される浴槽（１）及び洗い場（２）とから成り、かつ、浴槽（１）と洗い場（２）とが連結機構（３）によって連結可能に構成される。連結機構（３）は、浴槽（１）の底面裏側に付設された一対の第１の連結部材（５）と、洗い場（２）の裏面に付設された一対の第２の連結部材（４）とから成り、第１の連結部材（５）及び第２の連結部材（４）は、浴槽（１）及び洗い場（２）を定常状態で設置した際に相互に結合し得る様にそれぞれ浴槽（１）及び洗い場（２）に予め付設される。【選択図】        図１
2004329638.tif 000002
【特許請求の範囲】
【請求項１】
高さ調節可能な脚を有し且つ浴室床に設置される浴槽と、高さ調節可能な脚を有し且つ前記浴槽に隣接して浴室床に設置される洗い場とから成り、かつ、前記浴槽と前記洗い場とが連結機構によって連結可能に構成されたユニットバスであって、前記連結機構は、前記浴槽の底面裏側に付設され且つ前記洗い場側へ向けて略水平に突出する一対の第１の連結部材と、前記洗い場の裏面に付設され且つ前記浴槽側へ向けて略水平に突出する一対の第２の連結部材とから成り、前記一対の第１の連結部材および前記一対の第２の連結部材は、前記浴槽および前記洗い場を定常状態で設置した際に相互に結合し得る様にそれぞれ前記浴槽および前記洗い場に予め付設されていることを特徴とするユニットバス。
【発明の詳細な説明】
【０００１】
【発明の属する技術分野】
本発明は、ユニットバスに関するものであり、詳しくは、浴槽および洗い場の設置が極めて簡単な施工性に優れたユニットバスに関するものである。
【０００２】
【従来の技術】
周知の通り、ユニットバスは、主要な部材がＦＲＰ等で一体成形された耐久性、防水性に富む浴室であり、浴室床に設置される浴槽と、当該浴槽に隣接して浴室床に設置される洗い場とから主に構成される。ユニットバスの構造としては、例えば、洗い場とエプロンが一体成形され、浴槽の上縁の折返し部にエプロンの上端縁を締結することにより、全体を一体化する２分割構造のものが挙げられる（特許文献１参照）。なお、上記の分割構造のユニットバスにおいては、通常、浴槽および洗い場の裏側に高さ調節用の脚がそれぞれに設けられている。
【０００３】
【特許文献１】
特開２００２−１５９４１１号公報
【０００４】
【発明が解決しようとする課題】
ところで、上記の分割構造のユニットバスにおいては、これを施工する場合、浴槽と洗い場とが予め設計された一定の平面的配置関係および高さ関係となる様に浴室床に浴槽および洗い場を略水平に設置しなければならないが、実際、浴室床は、平滑面でなく、しかも、水平面でない場合が多いため、浴槽および洗い場の設置においては、浴槽および洗い場の位置関係を確認しつつ、これらの脚をそれぞれに高さ調節し且つ位置調節しなければならず、相応の熟練と多くの手間を必要とする。
【０００５】
本発明は、上記の実情に鑑みてなされたものであり、その目的は、浴槽に隣接して洗い場が設けられる分割構造のユニットバスであって、浴室床に浴槽および洗い場を設置する際に極めて簡単に設置し得る施工性に優れたユニットバスを提供することにある。
【０００６】
【課題を解決するための手段】
本発明は、浴槽と洗い場の連結機構として、浴槽の底面裏側に一対の第１の連結部材を付設し且つ洗い場の裏面に一対の第２の連結部材を付設することにより、浴槽および洗い場を浴室床に設置する際、予め設計された浴槽と洗い場の相対的な位置関係を即座に特定できる様にした。
【０００７】
すなわち、本発明の要旨は、高さ調節可能な脚を有し且つ浴室床に設置される浴槽と、高さ調節可能な脚を有し且つ前記浴槽に隣接して浴室床に設置される洗い場とから成り、かつ、前記浴槽と前記洗い場とが連結機構によって連結可能に構成されたユニットバスであって、前記連結機構は、前記浴槽の底面裏側に付設され且つ前記洗い場側へ向けて略水平に突出する一対の第１の連結部材と、前記洗い場の裏面に付設され且つ前記浴槽側へ向けて略水平に突出する一対の第２の連結部材とから成り、前記一対の第１の連結部材および前記一対の第２の連結部材は、前記浴槽および前記洗い場を定常状態で設置した際に相互に結合し得る様にそれぞれ前記浴槽および前記洗い場に予め付設されていることを特徴とするユニットバスに存する。
【０００８】
【発明の実施の形態】
本発明に係るユニットバスの一実施形態を図面に基づいて説明する。図１は、本発明に係るユニットバスを構成する浴槽および洗い場を背面側から示した斜視図である。図２は、本発明に係るユニットバスにおける浴槽および洗い場の連結された状態を示す斜視図である。図３は、浴槽と洗い場を連結する連結機構の一形態を示す主要部の斜視図である。
【０００９】
本発明のユニットバスは、図１示す様に、高さ調節可能な脚（１２）を有し且つ浴室床（図示省略）に設置される浴槽（１）と、高さ調節可能な脚（２２）を有し且つ浴槽（１）に隣接して浴室床に設置される洗い場（２）とから主として構成される。すなわち、本発明のユニットバスは、図２に示す様に、外観的な構造は従来のものと略同様であり、浴槽（１）に隣接して洗い場（２）が設けられる分割構造を備えている。
【００１０】
浴槽（１）及び洗い場（２）は、通常、耐熱性樹脂を使用したシートモールドコンパウンド、レジントランスファーモールディング、ハンドレイアップ等のＦＲＰ成形法によって成形される。浴槽（１）の湯槽は、意匠性を高め且つ触れた際に良好な感触を得るため、曲面で構成された立体形状に形成されるが、浴槽（１）の外郭の平面形状は、略長方形に形成される。
【００１１】
図１に示す様に、浴槽（１）の脚（１２）は、通常、４本のボルトによって構成され、これらのボルトは、浴槽（１）の底面裏側に設けられた脚取付用の一対の台座（１１）にそれぞれ２本づつ回動自在に螺着される。すなわち、浴槽（１）の脚（１２）は、各々、旋回操作することにより突出長さを調節し得る様になされている。なお、図１中の符号（１３）は浴槽（１）の排水口を示す。
【００１２】
また、図２に示す様に、洗い場（２）の平面形状は、通常、略長方形に形成される。図示した洗い場（２）は、バリアフリーの施工に適用されるものであり、洗い場（２）の表面は、排水口（２３）（図１参照）に向けて下り傾斜となる様な排水勾配を備えている。更に、図２に示す様に、浴槽（１）側の側縁を除く洗い場（２）の３周縁には、壁パネル（図示省略）を建込むための溝部が張出されている。
【００１３】
図１に示す様に、洗い場（２）の脚（２２）も、通常は４本のボルトによって構成され、これらのボルトは、洗い場（２）の裏面に設けられた脚取付用の一対の台座（２１）にそれぞれ２本づつ回動自在に螺着される。すなわち、洗い場（２）の脚（２２）は、各々、旋回操作することにより突出長さを調節し得る様になされている。なお、図示しないが、浴槽（１）と洗い場（２）の境界部分には、通常、当該境界部分を防水し且つ浴槽（１）の側方を覆うエプロンが配置される。また、洗い場（２）は、予めエプロンが一体的に立ち上げられた構造を備えていてもよい。
【００１４】
本発明のユニットバスにおいては、浴槽（１）と洗い場（２）を設置する場合、浴室床上において浴槽（１）と洗い場（２）の位置関係を即座に決めることが出来る様に、図２に示す様に、浴槽（１）と洗い場（２）とが連結機構（３）によって連結可能に構成されていることが重要である。そして、図１に示す様に、上記の連結機構（３）は、浴槽（１）の底面裏側に付設され且つ洗い場（２）側へ向けて略水平に突出する一対の第１の連結部材（５）と、洗い場（２）の裏面に付設され且つ浴槽（１）側へ向けて略水平に突出する一対の第２の連結部材（４）とから構成される。
【００１５】
具体的には、図１に示す様に、各第１の連結部材（５）は、先端が略直角に屈曲した細長の平面形状を備えた略板状の部材であり、浴槽（１）裏側の細長に形成された各台座（１１）の基部に沿ってそれぞれ取り付けられる。第１の連結部材（５）の先端部は、図３に示す様に、浴槽（１）と洗い場（２）とを結ぶ方向に対して直交する水平な方向へ屈曲した張出部（５ｄ）を備えている。そして、斯かる張出部（５ｄ）は、剛性を高めるため、周縁が折り曲げられた構造を備えており、張出部（５ｄ）の先端の折曲げ片（５１）には、連結用のねじ（６）を挿通するねじ穴（５６）が設けられる。
【００１６】
一方、図１に示す様に、各第２の連結部材（４）は、細長の平面形状を備えた略バー状の部材であり、洗い場（２）裏側の細長に形成された各台座（２１）の基部に沿ってそれぞれ取り付けられる。第２の連結部材（４）の先端部は、図３に示す様に、浴槽（１）と洗い場（２）とを結ぶ方向に沿って突出しており、剛性を高めるため、周縁が折り曲げられた構造を備えている。
【００１７】
第２の連結部材（４）の先端部の長さ方向に沿った下方側の折曲げ片は、鉛直方向の位置決めをするために第１の連結部材（５）の先端部を受止める受止め片（４１）とされており、また、第２の連結部材（４）の先端の鉛直方向に沿った折曲げ片は、浴槽（１）と洗い場（２）とを結ぶ方向に沿った方向の位置決めをするために第１の連結部材（５）の先端部を突き当てる突当り片（４２）とされている。そして、上記の第２の連結部材（４）の側面には、上記のねじ（６）を螺着するねじ穴（４６）が設けられる。
【００１８】
上記の連結機構（３）は、第２の連結部材（４）の先端部の側面に第１の連結部材（５）の先端の張出部（５ｄ）を突き当てた際に、前後、左右および上下の方向、換言すれば、浴槽（１）と洗い場（２）とを結ぶ方向、浴槽（１）と洗い場（２）とを結ぶ方向に直交する方向および鉛直方向に関して第１の連結部材（５）の移動が規制される位置において、浴槽（１）と洗い場（２）の相互の位置関係が予め設計された一定の位置関係となる様に、位置決めする機能を有する。すなわち、連結機構（３）を構成する一対の第１の連結部材（５）及び一対の第２の連結部材（４）は、浴槽（１）及び洗い場（２）を定常状態（水平で且つ相互の高さ関係および平面的な配置関係が設計された所定の関係にある状態）で設置した際に相互に結合し得る様にそれぞれ浴槽（１）及び洗い場（２）に予め付設される。
【００１９】
本発明のユニットバスは以下の様にして施工される。すなわち、ユニットバスを設置する場合は、例えば、先ず洗い場（２）を浴室内の床に配置する。その際、水準器などを使用して裏側の脚（２２）の高さ調節を行うことにより、床面からの高さが所望の高さで且つ略水平となる様に洗い場（２）を設置する。次いで、床面からの浴槽（１）の高さが凡そ所望の高さとなる様に、浴槽（１）の裏側の脚（１２）の長さを概ね揃えた後、浴槽（１）を浴室内の床に配置し、そして、連結機構（３）を構成する第１の連結部材（５）の張出部（５ｄ）と第２の連結部材（４）の先端部が出来る限り近付く様に、浴槽（１）を洗い場（２）に近接させる。
【００２０】
続いて、浴槽（１）側の各脚（１２）の高さ調節を行い且つ水平方向の位置を調節することにより、第１の連結部材（５）の張出部（５ｄ）の先端部を第２の連結部材（４）の先端のコーナー部、すなわち、図３に示す第２の連結部材（４）の側面と受止め片（４１）と突当り片（４２）によって構成されるコーナー部に当接させる。そして、張出部（５ｄ）の先端の折曲げ片（５１）のねじ穴（５６）にねじ（６）を挿通し、第２の連結部材（４）の側面のねじ穴（４６）にねじ（６）を締めつけることにより、第１の連結部材（５）の先端部を第２の連結部材（４）の先端部に連結する。その結果、浴槽（１）を水平に設置でき、かつ、洗い場（２）に対して予め設計された正確な位置関係に浴槽（１）を設置できる。
【００２１】
上記の様に、本発明のユニットバスは、浴槽（１）と洗い場（２）とが連結機構（３）によって連結可能に構成されており、かつ、連結機構（３）を構成する一対の第１の連結部材（５）及び一対の第２の連結部材（４）が浴槽（１）及び洗い場（２）を定常状態で設置した際に相互に結合し得る様にそれぞれ浴槽（１）及び洗い場（２）に予め付設されているため、浴室床の平滑性や傾斜に影響されることなく、一方の構成部材、例えば洗い場（２）を設置した後は連結機構（３）を使用して他方の構成部材、例えば浴槽（１）を予め設計された所定の位置関係に正確に設置することが出来る。換言すれば、浴室床に浴槽（１）及び洗い場（２）を設置するにあたり、連結機構（３）を使用し、予め設計された浴槽（１）と洗い場（２）の相対的な位置関係を即座に特定できるため、極めて簡単に施工することが出来る。
【００２２】
【発明の効果】
本発明のユニットバスによれば、浴室床に浴槽および洗い場を設置するにあたり、連結機構を使用し、予め設計された浴槽と洗い場の相対的な位置関係を即座に特定できるため、浴室床の平滑性や傾斜に影響されることなく、極めて簡単に施工することが出来る。
【図面の簡単な説明】
【図１】本発明に係るユニットバスを構成する浴槽および洗い場を背面側から示した斜視図である。
【図２】本発明に係るユニットバスにおける浴槽および洗い場の連結された状態を示す斜視図である。
【図３】浴槽と洗い場を連結する連結機構の一形態を示す主要部の斜視図である。
【符号の説明】
１  ：浴槽
１２：脚
２  ：洗い場
２２：脚
３  ：連結機構
４  ：第２の連結部材
４１：受止め片
４２：突当り片
５  ：第１の連結部材
５１：折曲げ片
５ｄ：張出部
６  ：ねじ
【図１】
2004329638.tif 000003
【図２】
2004329638.tif 000004
【図３】
2004329638.tif 000005